(57)【要約】      （修正有）【課題】大断面のプレキャストコンクリート柱でも、十分なグラウト充填率が確保でき、信頼性の高い施工が可能なプレキャストコンクリート柱接合方法を提供する。【解決手段】複数のスリーブ式鉄筋継手部材２０が内挿されたプレキャストコンクリート柱１０をスラブ３０上に接合する方法であって、スラブ３０との間に目地空間を設けてプレキャストコンクリート柱１０を配する工程と、目地空間にエアチューブ型枠（離隔部材）を配して離隔し、複数の分割目地空間４０ａ、４０ｂとする工程と、一の分割目地空間４０ａにスリーブ式鉄筋継手部材２０を介してグラウト５０を充填し養生する工程と、充填したグラウト５０の養生完了後、一の分割目地空間４０ａに隣接する他の分割目地空間４０ｂとの間に配されたエアチューブ型枠（離隔部材）を撤去する工程と、他の分割目地空間４０ｂにスリーブ式鉄筋継手部材２０を介してグラウト５０を充填し養生する工程と、を含む。【選択図】図６
2020133158.tif 000002
【特許請求の範囲】
【請求項１】
複数のスリーブ式鉄筋継手部材が内挿されたプレキャストコンクリート柱をスラブ上に接合するプレキャストコンクリート柱の接合方法であって、
前記スラブとの間に目地空間を設けて前記プレキャストコンクリート柱を配する工程と、
前記目地空間に離隔部材を配し、前記目地空間を離隔部材で離隔し、複数の分割目地空間とする工程と、
一の分割目地空間にスリーブ式鉄筋継手部材を介してグラウトを充填し養生する工程と、
前記一の分割目地空間に充填したグラウトの養生が完了した後、前記一の分割目地空間に隣接する他の分割目地空間との間に配された離隔部材を撤去する工程と、
前記他の分割目地空間にスリーブ式鉄筋継手部材を介してグラウトを充填し養生する工程と、
を含むことを特徴とするプレキャストコンクリート柱の接合方法。
【請求項２】
複数のスリーブ式鉄筋継手部材が内挿されたプレキャストコンクリート柱をスラブ上に接合するプレキャストコンクリート柱の接合方法であって、
前記スラブとの間に目地空間を設けて前記プレキャストコンクリート柱を配する工程と、
前記目地空間に離隔部材を配し、前記目地空間を離隔部材で離隔し、複数の分割目地空間とする工程と、
一の分割目地空間にスリーブ式鉄筋継手部材を介してグラウトを充填し養生する工程と、
前記一の分割目地空間に隣接する他の分割目地空間にスリーブ式鉄筋継手部材を介してグラウトを充填し養生する工程と、
前記一の分割目地空間に充填したグラウトと、前記他の分割目地空間に充填したグラウトの養生が完了した後、前記一の分割目地空間に隣接する他の分割目地空間との間に配された離隔部材を撤去する工程と、
前記離隔部材を撤去した後に形成された空間にてグラウトを充填し養生する工程と、
を含むことを特徴とするプレキャストコンクリート柱の接合方法。
【請求項３】
複数のスリーブ式鉄筋継手部材が内挿されたプレキャストコンクリート柱をスラブ上に接合するプレキャストコンクリート柱の接合方法であって、
前記プレキャストコンクリート柱が配されることで、前記スラブと前記プレキャストコンクリート柱の間で目地空間となる予定箇所に、前記目地空間を離隔し、複数の分割目地空間とする離隔部材を配する工程と、
前記スラブとの間に目地空間を設けて前記プレキャストコンクリート柱を配する工程と、
一の分割目地空間にスリーブ式鉄筋継手部材を介してグラウトを充填し養生する工程と、
前記一の分割目地空間に隣接する他の分割目地空間にスリーブ式鉄筋継手部材を介してグラウトを充填し養生する工程と、
を含むことを特徴とするプレキャストコンクリート柱の接合方法。
【発明の詳細な説明】
【技術分野】
【０００１】
本発明は、大断面のプレキャストコンクリート柱であってもグラウト材の充填率を担保することができるプレキャストコンクリート柱の接合方法を提供する。
【背景技術】
【０００２】
近年、ビルディングなどの建設にあたっては、壁や柱といった建築部材を、プレキャストコンクリート部材として、予め工場生産しておき、これを現場に搬入し組み上げる工法が広く用いられるようになっている。このような工法を採用することで、現場における工数を減らしたり、工期を短縮したりすることができるようになった。
【０００３】
例えば、特許文献１（特開２００１−１６４６８８号公報）には、コンクリート部材の上面の両端側に型枠形成部を備えたプレキャストコンクリート梁材を各柱間に架設し、これらのプレキャストコンクリート梁材間に、コンクリート板の上面に型枠形成部を備えたプレキャストコンクリート床板を敷設し、前記型枠形成部により構成された打ち継ぎ型枠内にコンクリートを打設することを特徴とする鉄筋コンクリート構造物の構築工法が開示されている。
【特許文献１】特開２００１−１６４６８８号公報
【発明の概要】
【発明が解決しようとする課題】
【０００４】
建設プロジェクトは現在大型化しており、超超高層建物が増加する傾向にある。その結果として、各部材の断面が大型化し、これまでにあまり施工実績のない、大断面のプレキャストコンクリートを施工する状況になりつつある。
【０００５】
プレキャストコンクリート柱においては、柱の脚部に鉄筋の機械式継手を設けて、柱脚の目地部分と継手部分のグラウトを同時に施工する方法が一般的である。しかしながら、当該柱の断面が大きくなると、グラウト材が所望する充填率で充填されない可能性がある、という問題があった。特に、施工時期が、グラウト材が硬化しやすい夏場などに当たる場合には、適切なグラウト充填率で施工を行うことがより一層困難になることが予想される。
【課題を解決するための手段】
【０００６】
この発明は、上記のような課題を解決するものであって、本発明に係るプレキャストコンクリート柱の接合方法は、複数のスリーブ式鉄筋継手部材が内挿されたプレキャストコンクリート柱をスラブ上に接合するプレキャストコンクリート柱の接合方法であって、前記スラブとの間に目地空間を設けて前記プレキャストコンクリート柱を配する工程と、前記目地空間に離隔部材を配し、前記目地空間を離隔部材で離隔し、複数の分割目地空間とする工程と、一の分割目地空間にスリーブ式鉄筋継手部材を介してグラウトを充填し養生する工程と、前記一の分割目地空間に充填したグラウトの養生が完了した後、前記一の分割目地空間に隣接する他の分割目地空間との間に配された離隔部材を撤去する工程と、前記他の分割目地空間にスリーブ式鉄筋継手部材を介してグラウトを充填し養生する工程と、を含むことを特徴とする。
【０００７】
また、本発明に係るプレキャストコンクリート柱の接合方法は、複数のスリーブ式鉄筋継手部材が内挿されたプレキャストコンクリート柱をスラブ上に接合するプレキャストコンクリート柱の接合方法であって、前記スラブとの間に目地空間を設けて前記プレキャストコンクリート柱を配する工程と、前記目地空間に離隔部材を配し、前記目地空間を離隔部材で離隔し、複数の分割目地空間とする工程と、一の分割目地空間にスリーブ式鉄筋継手部材を介してグラウトを充填し養生する工程と、前記一の分割目地空間に隣接する他の分割目地空間にスリーブ式鉄筋継手部材を介してグラウトを充填し養生する工程と、前記一の分割目地空間に充填したグラウトと、前記他の分割目地空間に充填したグラウトの養生が完了した後、前記一の分割目地空間に隣接する他の分割目地空間との間に配された離隔部材を撤去する工程と、前記離隔部材を撤去した後に形成された空間にてグラウトを充填し養生する工程と、を含むことを特徴とする。
【０００８】
また、本発明に係るプレキャストコンクリート柱の接合方法は、複数のスリーブ式鉄筋継手部材が内挿されたプレキャストコンクリート柱をスラブ上に接合するプレキャストコンクリート柱の接合方法であって、前記プレキャストコンクリート柱が配されることで、前記スラブと前記プレキャストコンクリート柱の間で目地空間となる予定箇所に、前記目地空間を離隔し、複数の分割目地空間とする離隔部材を配する工程と、前記スラブとの間に目地空間を設けて前記プレキャストコンクリート柱を配する工程と、一の分割目地空間にスリーブ式鉄筋継手部材を介してグラウトを充填し養生する工程と、前記一の分割目地空間に隣接する他の分割目地空間にスリーブ式鉄筋継手部材を介してグラウトを充填し養生する工程と、を含むことを特徴とする。
【発明の効果】
【０００９】
本発明に係るプレキャストコンクリート柱の接合方法は、目地空間に離隔部材を配し、目地空間を離隔部材で離隔し、複数の分割目地空間とし、それぞれにグラウト材を充填し養生する工程を経るようになっており、このような本発明に係るプレキャストコンクリート柱の接合方法によれば、大断面のプレキャストコンクリート柱でも、適切な面積の分割目地空間に分割された上でグラウト材が充填されるので、十分なグラウト充填率が確保することができ、信頼性の高い施工を行うことが可能となる。
【図面の簡単な説明】
【００１０】
【図１】プレキャストコンクリート柱の接合方法を説明する透過的模式図である。
【図２】プレキャストコンクリート柱の接合方法を説明する透過的模式図である。
【図３】プレキャストコンクリート柱の接合方法を説明する透過的模式図である。
【図４】プレキャストコンクリート柱の接合方法を説明する透過的模式図である。
【図５】本発明の第１実施形態に係るプレキャストコンクリート柱の接合方法を説明する図である。
【図６】本発明の第１実施形態に係るプレキャストコンクリート柱の接合方法を説明する図である。
【図７】本発明の第１実施形態に係るプレキャストコンクリート柱の接合方法を説明する図である。
【図８】本発明の第２実施形態に係るプレキャストコンクリート柱の接合方法を説明する図である。
【図９】本発明の第２実施形態に係るプレキャストコンクリート柱の接合方法を説明する図である。
【図１０】本発明の第２実施形態に係るプレキャストコンクリート柱の接合方法を説明する図である。
【図１１】本発明の第３実施形態に係るプレキャストコンクリート柱の接合方法を説明する図である。
【発明を実施するための形態】
【００１１】
以下、本発明の実施の形態を図面を参照しつつ説明する。まず、図１乃至図４は、前提となるプレキャストコンクリート柱の接合方法の各工程を順に、プレキャストコンクリート柱１０とスラブ３０とを透過的にみた模式図で示したものである。
【００１２】
プレキャストコンクリート柱１０には、垂直方向に延びるように、複数の柱側柱主筋１３が埋設されている。また、図示していない箇所には、複数の柱側柱主筋１３に対して垂直方向に、各柱側柱主筋１３を連結する補強筋が設けられている。
【００１３】
それぞれの柱側柱主筋１３の下端部は、それぞれの柱側柱主筋１３に対応するスリーブ式鉄筋継手部材２０に挿通されている。複数のスリーブ式鉄筋継手部材２０も、プレキャストコンクリート柱１０内に埋設されている。スリーブ式鉄筋継手部材２０は、下側端部は開放された状態となっており、上側端部はコンクリート材で閉鎖された状態となっている。
【００１４】
また、複数のスリーブ式鉄筋継手部材２０それぞれの内部空間は、その下側で下端開口１５と連通しており、上側で上端開口１７と連通している。下端開口１５及び上端開口１７は、プレキャストコンクリート柱１０の表面に設けられた開口であり、これらの開口を通してグラウト材が注入されたり或いは、充填した際の余剰のグラウト材が排出されたりするようになっている。
【００１５】
一方、プレキャストコンクリート柱１０が接合される相手側であるスラブ３０にも、複数のスラブ側柱主筋３３が埋設されている。これらのスラブ側柱主筋３３の上端側はスラブ３０から露出するようになっている。また、図示していない箇所において、複数のスラブ側柱主筋３３に対して垂直方向に、各スラブ側柱主筋３３を連結する補強筋が設けられている。
【００１６】
なお、本実施形態では、プレキャストコンクリート柱１０がスラブ３０と接合される例に基づいて行うが、このようなスラブ３０にはプレキャストコンクリート柱も含まれる。本発明に係るプレキャストコンクリート柱の接合方法は、プレキャストコンクリート柱１０同士の接合などにも用い得るものである。
【００１７】
図１は、プレキャストコンクリート柱１０が不図示の吊下手段によって吊り下げられている状態を示している。吊下手段によって吊り下げられているプレキャストコンクリート柱１０は降下させられ、目地空間４０が残るようにスラブ３０上に配される。目地空間４０の形成には、スラブ３０上に載置される不図示のスペーサーなどが用いられる。
【００１８】
目地空間４０が形成された状態でプレキャストコンクリート柱１０が、スラブ３０上に設置されると、続いて図２に示すように、複数のスリーブ式鉄筋継手部材２０のうちの一つに対応する下端開口１５に、グラウト材を注入するための注入ノズル４９が装着される。
【００１９】
また、スラブ３０の上面とプレキャストコンクリート柱１０の底面との間に形成された目地空間４０の周辺には型枠４３が設けられ、目地空間４０からグラウト材が溢れ出すことを防止するようになっている。これにより、グラウト材５０の注入準備が完了する。
【００２０】
続いて、不図示のポンプが駆動されることで、図３に示すように注入ノズル４９から、スリーブ式鉄筋継手部材２０へとグラウト材５０が注入される。スリーブ式鉄筋継手部材２０下方から溢れ出したグラウト材５０は目地空間４０を充填していき、目地空間４０全体が充填されると、他のスリーブ式鉄筋継手部材２０を下方側から充填していく。スリーブ式鉄筋継手部材２０に対応する下端開口１５と上端開口１７の全てから、グラウト材５０が排出されると、目地空間４０と全てのスリーブ式鉄筋継手部材２０内部空間にグラウト材５０が充填されたことが確認できるので、そのようになったらポンプ（不図示）の駆動を停止、グラウト材５０の充填を完了する。
【００２１】
その後、グラウト材５０の養生を行い、養生が完了すると、目地空間４０を囲っていた型枠４３を撤去し、図４に示すようにスラブ３０と、プレキャストコンクリート柱１０との接合が完了する。このような接合方法によれば、目地空間４０と、主筋同士の継ぎ手部分（スリーブ式鉄筋継手部材２０）との双方を同時に接合することができる。
【００２２】
従来、基本的に上記のようなプレキャストコンクリート柱の接合方法が採用されているが、近年、プレキャストコンクリート柱の断面積が増加傾向にあり、従来のような接合方法では、グラウト材が所望とする充填率で充填されない可能性がある、という問題があった。そこで、本発明では、以下に説明するような接合方法を採用する。
【００２３】
図５乃至図７は本発明の第１実施形態に係るプレキャストコンクリート柱の接合方法を説明する図である。なお、図５（Ａ）はプレキャストコンクリート柱１０を透過的平面図としてみた図であり、図５（Ｂ）はスラブ３０とプレキャストコンクリート柱１０とを側面から見た図である。また、図５乃至図７において、図１乃至図４で説明した注入ノズル４９などについては図示省略すると共に、それに関連する工程も説明を省略している。
【００２４】
図５に示すプレキャストコンクリート柱１０は比較的に大きな断面を有しているものである。スラブ３０との間に目地空間４０を残して、プレキャストコンクリート柱１０が配された後には、目地空間４０を分割することが行われる。
【００２５】
具体的には、目地空間４０に離隔部材としてエアチューブ型枠１００を配し、目地空間４０をエアチューブ型枠１００（離隔部材）で離隔し、複数の分割目地空間とする。本実施形態では、エアチューブ型枠１００（離隔部材）により、目地空間４０を分割目地空間４０ａ、４０ｂの２つの空間に分割する例に基づいて説明を行うが、本発明で目地空間を離隔して幾つの分割目地空間とするかは任意である。
【００２６】
また、上記のように、目地空間４０に離隔部材としてエアチューブ型枠１００を配する前段においては、エアチューブ型枠１００に離型剤を塗布しておくと、養生後のグラウト材からの取り外しが容易となるので好ましい。目地空間４０を離隔するために用いられるエアチューブ型枠１００は、注入されるグラウト材の圧に負けて対象外の分割目地空間にグラウト材が移動しない程度に密かつ強固に取り付けられる。
【００２７】
目地空間４０に配するエアチューブ型枠１００は、コンプレッサ（不図示）によって空気が導入されることで膨張するホース状部分を有するエアー型枠である。エアチューブ型枠１００は、空気の導入・排出によって膨張・収縮するので、そのセットそして脱型を容易に行うことができる、というメリットがある。ただし、本発明に係るプレキャストコンクリート柱の接合方法では、離隔部材として、例えば、ギャップガード（登録商標）などのエアチューブ型枠１００のみならず、細径エアフェンス、発泡ポリエチレン製型枠（例えば、エサフォーム（登録商標）など）、硬練りのグラウト材、角材、山形鋼などを利用することも可能である。
【００２８】
さて、上記のようにエアチューブ型枠１００によって、目地空間４０を２つの分割目地空間４０ａ、４０ｂとした後には、一方の分割目地空間に対してグラウト材５０を充填する準備がなされる。図５に示す例は、分割目地空間４０ａに対してグラウト材５０を充填する準備がなされている様子であり、分割目地空間４０ａの周囲には型枠４３が取り付けられている。
【００２９】
図５のように型枠４３が取り付けられた後に、続いて、図１乃至図４の例で説明したように、複数のスリーブ式鉄筋継手部材２０のうちの一つからグラウト材５０が注入され、分割目地空間４０ａ、分割目地空間４０ａと連通する全てのスリーブ式鉄筋継手部材２０にグラウト材５０が充填される。グラウト材５０が注入される工程が実施されることで図６に示すような状態となる。このようにグラウト材５０が充填され、養生が行われる。
【００３０】
なお、グラウト材注入では、複数のスリーブ式鉄筋継手部材２０のうちの一つからグラウト材５０を注入すればよいが、より好ましくは、平面視で矩形の分割目地空間の角部に近いスリーブ式鉄筋継手部材のうちから一つを選択することがよい。具体的には、図５（Ａ）で言えば、（ｐ）、（ｑ）、（ｒ）、（ｓ）からグラウト材５０をするスリーブ式鉄筋継手部材を選択するとよい。角部に近いスリーブ式鉄筋継手部材を選択すると、より均等にグラウト材５０が注入される。
【００３１】
分割目地空間４０ａに充填したグラウト材５０の養生が完了すると次の工程に移る。続く工程では、分割目地空間４０ａに隣接する他の分割目地空間４０ｂとの間に配されているエアチューブ型枠１００を撤去がされ、さらに分割目地空間４０ａを囲んでいた型枠４３も取り除かれる。エアチューブ型枠１００を撤去する際には、導入されていた空気を排出して収縮させてから、これを行うと作業性がよい。
【００３２】
さらに、他の分割目地空間である４０ｂ側の周辺に、型枠４３が取り付けられる。続いて、分割目地空間４０ｂと連通する複数のスリーブ式鉄筋継手部材２０のうちの一つからグラウト材５０が注入される。ここでも、平面視で矩形の分割目地空間４０ｂの角部に近いスリーブ式鉄筋継手部材のうちから一つが選択される。
【００３３】
分割目地空間４０ｂ、分割目地空間４０ｂと連通する全てのスリーブ式鉄筋継手部材２０にグラウト材５０が充填されると図７に示すような状態となる。そして、続いて、グラウト材５０の養生が行われる。グラウト材５０の養生が完了すると型枠４３が撤去されて、本発明に係るプレキャストコンクリート柱の接合方法における各工程が終了する。
【００３４】
以上のように、本発明に係るプレキャストコンクリート柱の接合方法は、目地空間４０に離隔部材（エアチューブ型枠１００）を配し、目地空間４０を離隔部材（エアチューブ型枠１００）で離隔し、複数の分割目地空間とし、それぞれにグラウト材５０を充填し養生する工程を経るようになっており、このような本発明に係るプレキャストコンクリート柱の接合方法によれば、大断面のプレキャストコンクリート柱１０でも、適切な面積の分割目地空間に分割された上でグラウト材５０が充填されるので、十分なグラウト充填率が確保することができ、信頼性の高い施工を行うことが可能となる。
【００３５】
次に本発明に係る他の実施形態について説明する。先の第１実施形態では、目地空間４０を離隔部材（エアチューブ型枠１００）で離隔し、２つの分割目地空間４０ａ、４０ｂとして、段階的にそれぞれの分割目地空間毎にグラウト材を充填し、養生を行うようにしていた。これに対して、第２実施形態では、目地空間４０を離隔部材（エアチューブ型枠１００）で離隔し、２つの分割目地空間４０ａ、４０ｂとした後、略同時にそれぞれの分割目地空間毎にグラウト材を充填し、養生を行うものである。以下、図８乃至図１０に基づいて、第２実施形態に係るプレキャストコンクリート柱の接合方法を説明する。
【００３６】
なお、図８（Ａ）はプレキャストコンクリート柱１０を透過的平面図としてみた図であり、図８（Ｂ）はスラブ３０とプレキャストコンクリート柱１０とを側面から見た図である。また、図８乃至図１０において、図１乃至図４で説明した注入ノズル４９などについては図示省略すると共に、それに関連する工程も説明を省略している。
【００３７】
図８に示すプレキャストコンクリート柱１０は比較的に大きな断面を有するものである。スラブ３０との間に目地空間４０を残して、プレキャストコンクリート柱１０が配された後には、目地空間４０を分割することが行われる。
【００３８】
具体的には、目地空間４０に離隔部材として２本のエアチューブ型枠１００を配し、目地空間４０を２本のエアチューブ型枠１００（離隔部材）で離隔し、複数の分割目地空間とする。本実施形態では、２本のエアチューブ型枠１００（離隔部材）により、目地空間４０を分割目地空間４０ａ、４０ｂの２つの空間に分割する例に基づいて説明を行うが、本発明で目地空間を離隔して幾つの分割目地空間とするかは任意である。
【００３９】
また、本実施形態においても、目地空間４０に離隔部材としてエアチューブ型枠１００を配する前段においては、エアチューブ型枠１００に離型剤を塗布しておくようにすることが好ましい。また、目地空間４０に配する離隔部材としては、エアチューブ型枠１００などのエアー型枠（例えば、ギャップガード（登録商標）など）或いは細径エアフェンスの他に、発泡ポリエチレン製型枠（例えば、エサフォーム（登録商標）など）、硬練りのグラウト材、角材、山形鋼などを利用することも可能である。
【００４０】
２本のエアチューブ型枠１００によって、目地空間４０を２つの分割目地空間４０ａ、４０ｂとした後には、両方の分割目地空間に対してグラウト材５０を充填する準備がなされる。図８に示す例は、分割目地空間４０ａ及び分割目地空間４０ｂの両方に対してグラウト材５０を充填する準備がなされている様子であり、分割目地空間４０ａ及び分割目地空間４０ｂの両方の周囲に型枠４３が取り付けられる。
【００４１】
図８のように型枠４３が取り付けられた後に、分割目地空間４０ａに対応するスリーブ式鉄筋継手部材２０のうちの一つからグラウト材５０が注入され、ほぼ同時期に、分割目地空間４０ｂに対応するスリーブ式鉄筋継手部材２０のうちの一つからグラウト材５０が注入される。これにより、分割目地空間４０ａ、４０ｂ及びこれらに連通する全てのスリーブ式鉄筋継手部材２０にグラウト材５０が充填される。なお、グラウト材５０の注入口として選択されるスリーブ式鉄筋継手部材２０は、先の実施形態と同様、平面視で矩形の分割目地空間の角部に近いスリーブ式鉄筋継手部材のうちから一つを選択する。
【００４２】
上記のように、グラウト材５０が注入される工程が実施されることで図９に示すような状態となる。このようにグラウト材５０が充填され、養生が行われる。
【００４３】
分割目地空間４０ａ及び分割目地空間４０ｂに充填したグラウト材５０の養生が完了すると次の工程に移る。続く工程では、分割目地空間４０ａと、これに隣接する他の分割目地空間４０ｂとの間に配されている２本のエアチューブ型枠１００が引き抜かれることで撤去がされ、さらに分割目地空間４０ａ、分割目地空間４０ｂを囲んでいた型枠４３も取り除かれる。
【００４４】
ここで、本実施形態においては、目地空間４０を２つの分割目地空間４０ａ、４０ｂとして離隔する際に、２本のエアチューブ型枠１００を用いる理由について説明する。
【００４５】
エアチューブ型枠１００の先端部１１０は、カシメられることによって形成されている。従って、先端部１１０の幅は、空気が充填されるホース状部分の幅より大きい。仮に、１本のエアチューブ型枠１００のみを用いて分割目地空間４０ａと４０ｂを形成して、両方の分割目地空間にグラウト材５０を充填・養生・固化した後、エアチューブ型枠１００の空気を排出して引き抜こうとしても、固化したグラウト材５０に先端部１１０が当たることで、当該１本のエアチューブ型枠１００を引き抜くことが困難となってしまう。そこで、本実施形態においては、２本のエアチューブ型枠１００を用いてグラウト材５０が固化した後にできる空間を広めの空間とすることで、エアチューブ型枠１００を引き抜きやすくするようにしている。
【００４６】
上記のように分割目地空間４０ａ、４０ｂにグラウト材５０が充填・固化された後、２本のエアチューブ型枠１００が引き抜かれる。続いて、２本のエアチューブ型枠１００が引き抜かれた後に形成される分割目地空間４０ａと分割目地空間４０ｂとの間の空間（図１０の４０ｃ）に、グラウト材５０を充填する工程が実施される。この準備のために、図１０に示すように、空間４０ｃ全てにグラウト材５０を充填した際に堰となる型枠４３が、空間４０ｃの両端開口部に設けられる。このような型枠４３が設けられた後、空間４０ｃにグラウト材５０が充填され、養生が実施される。空間４０ｃの前記両端開口部から溢れて固化したグラウト材５０はカッターなどで除去される。
【００４７】
以上のように、第２実施形態に係るプレキャストコンクリート柱の接合方法は、目地空間４０に離隔部材（エアチューブ型枠１００）を配し、目地空間４０を離隔部材（エアチューブ型枠１００）で離隔し、複数の分割目地空間とし、それぞれの分割目地空間にグラウト材５０をほぼ同時期に充填し養生する工程を経るようになっている。
【００４８】
このような第２実施形態に係るプレキャストコンクリート柱の接合方法によれば、大断面のプレキャストコンクリート柱１０でも、適切な面積の分割目地空間に分割された上でグラウト材５０が充填されるので、十分なグラウト充填率が確保することができ、信頼性の高い施工を行うことが可能となる。さらに、第２実施形態に係るプレキャストコンクリート柱の接合方法によれば、それぞれの分割目地空間にグラウト材５０をほぼ同時期に充填し養生するので、主要となる工程に要する時間を短縮することができる。
【００４９】
次に本発明に係る他の実施形態について説明する。これまでの実施形態では、目地空間４０を離隔し分割目地空間を形成するために、エアチューブ型枠１００などの離隔部材を用いるようにしていた。これに対して、第３実施形態に係るプレキャストコンクリート柱の接合方法では、固練りしたグラウト材を離隔部材とし、この離隔部材で目地空間４０を離隔し分割目地空間を形成するものである。
【００５０】
以下、図１１を参照して第３実施形態に係るプレキャストコンクリート柱の接合方法について説明する。図１１は、プレキャストコンクリート柱１０が不図示の吊下手段によって吊り下げられている状態を示している。吊下手段によって吊り下げられているプレキャストコンクリート柱１０は降下させられ、目地空間４０が残るようにスラブ３０上に配されるが、プレキャストコンクリート柱１０がスラブ３０上に配される前段に、本実施形態では固練りした先行グラウト材１５０を、目地空間となる予定箇所に設けておく。
【００５１】
先行グラウト材１５０の分量は、離隔部材として機能するエアチューブ型枠１００の容積より若干多い程度とすることが望ましい。また、先行グラウト材１５０を配する際には、その高さは目地空間４０の高さより高く盛るようにする。また、先行グラウト材１５０を配する箇所は、第１実施形態でエアチューブ型枠１００を配した箇所と同様とする。
【００５２】
図１１の状態からプレキャストコンクリート柱１０を降下し、目地空間４０が残るようにスラブ３０上にこれを配する。プレキャストコンクリート柱１０が配されると、先行グラウト材１５０の分量と高さの関係から、プレキャストコンクリート柱１０の底面が先行グラウト材１５０の上部が押し潰される。これにより、目地空間４０は先行グラウト材１５０で離隔され、２つの分割目地空間が形成される。先行グラウト材１５０が固化すると、続いて、第２実施形態同様、２つの分割目地空間に対して、グラウト材５０をほぼ同時期に充填し養生する。これによれば、第３実施形態に係るプレキャストコンクリート柱の接合方法でも、主要となる工程に要する時間を短縮することができる。
【００５３】
以上、本発明に係るプレキャストコンクリート柱の接合方法は、目地空間に離隔部材を配し、目地空間を離隔部材で離隔し、複数の分割目地空間とし、それぞれにグラウト材を充填し養生する工程を経るようになっており、このような本発明に係るプレキャストコンクリート柱の接合方法によれば、大断面のプレキャストコンクリート柱でも、適切な面積の分割目地空間に分割された上でグラウト材が充填されるので、十分なグラウト充填率が確保することができ、信頼性の高い施工を行うことが可能となる。
【符号の説明】
【００５４】
１０・・・プレキャストコンクリート柱
１３・・・柱側柱主筋
１５・・・下端開口
１７・・・上端開口
２０・・・スリーブ式鉄筋継手部材
３０・・・スラブ
３３・・・スラブ側柱主筋
４０・・・目地空間
４０ａ、４０ｂ・・・分割目地空間
４０ｃ・・・（分割目地）空間
４３・・・型枠
４９・・・注入ノズル
５０・・・グラウト材
１００・・・エアチューブ型枠（離隔部材）
１１０・・・先端部
１５０・・・先行グラウト材（離隔部材）
【図１】
2020133158.tif 000003
【図２】
2020133158.tif 000004
【図３】
2020133158.tif 000005
【図４】
2020133158.tif 000006
【図５】
2020133158.tif 000007
【図６】
2020133158.tif 000008
【図７】
2020133158.tif 000009
【図８】
2020133158.tif 000010
【図９】
2020133158.tif 000011
【図１０】
2020133158.tif 000012
【図１１】
2020133158.tif 000013